(57)【特許請求の範囲】
【請求項１】
通常速度で印刷を行う通常印刷、又は、前記通常速度よりも遅い印刷速度で印刷を行う低速印刷のいずれかで印刷を行う印刷部と、
時間を測るための時計回路と、
ネットワークに接続され、ネットワークに接続された通信機器ごとに前記通信機器が動作を開始することにより通信可能となった時点である動作開始時点と、前記通信機器が動作を停止することにより通信不可となった時点である動作停止時点を認識する通信部と、
前記動作開始時点と前記動作停止時点を記憶する記憶部と、
１日を複数の時間帯に分け、前記記憶部に記憶された前記動作開始時点から前記動作停止時点までの時間に基づき、予め定められた計算日での、各前記通信機器の動作時間の合計である合計時間を前記時間帯ごとに計算する制御部を含み、
前記制御部は、
計算した前記合計時間が予め定められた第１閾値よりも長い時間帯に対応する当日の時間帯を第１時間帯に分類し、計算した前記合計時間が前記第１閾値以下の時間帯に対応する当日の時間帯を第２時間帯に分類し、前記第１時間帯では前記印刷部に前記通常印刷を行わせ、前記第２時間帯では前記低速印刷を行わせ、
さらに、計算した前記合計時間が前記第１閾値以下の時間帯であって、前記第１閾値よりも短い前記第２閾値以下の時間帯に対応する当日の時間帯については第３時間帯に分類し、前記第３時間帯になると画像形成装置の主電源を切ることを特徴とする画像形成装置。
【請求項２】
画像形成装置の設置位置の照度を検知するための照度センサーを含み、
前記制御部は、前記照度センサーの出力に基づき室内の照明が点いているか又は消されているかを認識し、前記第２時間帯で室内の照明が消されているとき、前記画像形成装置の主電源を切ることを特徴とする請求項１に記載の画像形成装置。
【請求項３】
前記第１時間帯で開始された印刷ジョブが前記第２時間帯になっても続いているとき、及び、前記第２時間帯で開始された印刷ジョブが前記第１時間帯になっても続いているとき、
前記制御部は、印刷ジョブの印刷速度を維持させることを特徴とする請求項１又は２に記載の画像形成装置。
【請求項４】
前記第１時間帯又は前記第２時間帯で開始された印刷ジョブが前記第３時間帯になっても続いているとき、前記制御部は、印刷ジョブの途中で前記印刷部に印刷を停止させず、印刷ジョブが完了してから前記画像形成装置の主電源を切ることを特徴とする請求項１乃至３の何れか１項に記載の画像形成装置。
【請求項５】
前記予め定められた計算日は１週間前の同じ曜日の日であることを特徴とする請求項１乃至４の何れか１項に記載の画像形成装置。
【請求項６】
原稿を読み取って画像データを生成する画像読取部と、
設定画面を表示する表示パネルを含む操作パネルと、を含み、
前記印刷部は、画像データに基づきトナー像を生成して用紙に転写する画像形成部と、用紙に転写されたトナー像を定着させるための定着ローラーと前記定着ローラーを加熱するヒーターを含む定着部を備え、
前記低速印刷のとき、前記制御部は、前記表示パネルへの電力供給を停止させ、前記通常印刷よりも前記定着ローラーの温度が低くなるように前記ヒーターへの電力供給を調整し、原稿を読み取らないジョブでは前記画像読取部への電力供給を停止させることを特徴とする請求項１乃至５の何れか１項に記載の画像形成装置。
【発明の詳細な説明】
【技術分野】
【０００１】
本発明は、複合機、プリンター、複写機、ファクシミリ装置のような画像形成装置に関する。
【背景技術】
【０００２】
室内に誰もいない状態では画像形成装置は使用されない。そこで、室内に誰もいない状態となったとき、画像形成装置の消費電力を減らす技術の一例が特許文献１に記載されている。
【０００３】
具体的に、特許文献１には、装置の周囲の明るさを検知し、照度信号に基づいて装置の待機モードを制御し、待機モードを省エネルギーモードに切り換える照度を自動的に学習する画像形成装置が記載されている。非常灯の近くに画像形成装置が設置された場合のように夜間でも或る程度明るいため、省エネルギーモードに入らず、エネルギーの節約にならない場合がある。そこで、特許文献１記載の技術では、学習により、画像形成装置の設置条件に応じて待機モードから省エネルギーモードへの切り換えを適切に行い、エネルギーを節約しようとする（特許文献１：請求項１、段落［０００３］、[０００４]、要約参照）。
【先行技術文献】
【特許文献】
【０００４】
【特許文献１】特開２００２−１６９４４６号公報
【発明の概要】
【発明が解決しようとする課題】
【０００５】
会社、官公庁などのオフィスでは、画像形成装置は複数人に１台の割合で設置される。大きなフロアや部署に１台のみ設置されることもあり、場合によっては、１台の画像形成装置を多くの人が共用することもある。
【０００６】
オフィスにいる人が多いとき（画像形成装置を共用する人が多いとき）、画像形成装置が印刷に用いられる機会が多くなる。また、画像形成装置に印刷ジョブを行わせようとするタイミングが複数人で重なることも多くなる。使用者の待ち時間を減らす観点からすると、高速な印刷が好ましい。
【０００７】
しかし、画像形成装置の印刷速度を速くするほど、画像形成装置の消費電力が大きくなる。例えば、モーターを高速回転させる必要がある。また、トナーの定着に必要な熱量を短時間で用紙に加える必要があるので、ヒーターの出力を大きくする必要がある。また、画像形成装置の印刷速度を速くするほど、画像形成装置の印刷時の動作音は大きくなる。例えば、回転体の回転時に生ずる音や、ガイドへの用紙の衝突音が大きくなる。
【０００８】
オフィスにいる人が少ないほど、画像形成装置が印刷に用いられる機会も少なくなる。また、複数人が連続して画像形成装置に印刷を行わせることも少ないので、印刷の待ち時間は、かなり少なくなる。そのため、オフィスにいる人が少ないほど、急いで印刷を行う必要性は少ない。
【０００９】
従来、オフィスにいる人が少なく、急いで印刷を行う必要性が少ない状態でも画像形成装置では高速な印刷が行われている。従って、オフィスにいる人が少なく、必要性の少ない高速な印刷によって、画像形成装置で大きな電力が消費されているという問題がある。また、人が少なく静かな状態で高速印刷したとき、画像形成装置の動作音は人が多いときに比べ相対的に大きく感じられる。そのため、画像形成装置の動作音が騒がしいと使用者に感じさせてしまう場合があるという問題がある。
【００１０】
なお、特許文献１記載の技術は、待機モードと省エネルギーモードのモード間の切り換えに関する技術である。印刷速度に関する言及はない。従って、特許文献１記載の技術では、上記問題を解決することはできない。
【００１１】
本発明は、上記従来技術の問題点に鑑みてなされたものであり、必要性の少ない高速印刷による無駄な電力消費を減らし、画像形成装置の静音性を高める。
【課題を解決するための手段】
【００１２】
上記課題を解決するため、請求項１に係る画像形成装置は、印刷部、時計回路、通信部、記憶部、制御部を含む。前記印刷部は、通常速度で印刷を行う通常印刷、又は、前記通常速度よりも遅い印刷速度で印刷を行う低速印刷のいずれかで印刷を行う。前記時計回路は、時間を測る。前記通信部は、ネットワークに接続され、ネットワークに接続された通信機器ごとに前記通信機器が動作を開始することにより通信可能となった時点である動作開始時点と、前記通信機器が動作を停止することにより通信不可となった時点である動作停止時点を認識する。前記記憶部は、前記動作開始時点と前記動作停止時点を記憶する。前記制御部は、１日を複数の時間帯に分け、前記記憶部に記憶された前記動作開始時点から前記動作停止時点までの時間に基づき、予め定められた計算日での、各前記通信機器の動作時間の合計である合計時間を時間帯ごとに計算する。そして、前記制御部は、計算した前記合計時間が予め定められた第１閾値よりも長い時間帯に対応する当日の時間帯を第１時間帯に分類し、計算した前記合計時間が前記第１閾値以下の時間帯に対応する当日の時間帯を第２時間帯に分類し、前記第１時間帯では前記印刷部に通常印刷を行わせ、前記第２時間帯では前記低速印刷を行わせる。さらに、前記制御部は、計算した前記合計時間が前記第１閾値以下の時間帯であって、前記第１閾値よりも短い前記第２閾値以下の時間帯に対応する当日の時間帯については第３時間帯に分類し、前記第３時間帯になると画像形成装置の主電源を切る。
【発明の効果】
【００１３】
本発明によれば、人が少なく、高速印刷の必要性の少ないと予測される時間帯になると、画像形成装置の印刷速度を自動的に遅くすることができる。従って、必要性の少ない高速印刷による無駄な電力消費を減らすことができる。また、人が少ない状況で画像形成装置に高速印刷を行わせないので、使用者に動作音がうるさいと感じさせることがなく、静音性の高い画像形成装置を提供することができる。
【図面の簡単な説明】
【００１４】
【図１】実施形態に係る複合機の一例を示す図である。
【図２】実施形態に係る複合機の電源部の一例を示す図である。
【図３】実施形態に係る複合機と通信機器とのネットワークを介した通信の一例を示す図である。
【図４】実施形態に係る複合機での動作時間の合計の計算を説明するための図である。
【図５】実施形態に係る複合機での動作時間の合計の計算を説明するための図である。
【図６】実施形態に係る複合機での時間帯に応じた印刷速度の決定の流れの一例を示す図である。
【図７】第３時間帯が開始されたときの処理の流れの一例を示すフローチャートである。
【図８】第２時間帯が開始されたときの処理の流れの一例を示すフローチャートである。
【図９】第１時間帯が開始されたときの処理の流れの一例を示すフローチャートである。
【発明を実施するための形態】
【００１５】
以下、図１〜図９を用いて、本発明に係る画像形成装置を説明する。画像形成装置として複合機１００を例に挙げて説明する。但し、本実施の形態に記載されている構成、配置等の各要素は、発明の範囲を限定するものではなく単なる説明例にすぎない。
【００１６】
（画像形成装置の概要）
まず、図１に基づき、実施形態に係る複合機１００を説明する。図１は、実施形態に係る複合機１００の一例を示す図である。
【００１７】
複合機１００は、制御部１と記憶部２を含む。また、複合機１００は、原稿搬送部３、画像読取部４、操作パネル５、印刷部６、通信部７を含む。
【００１８】
制御部１は、装置全体の動作を統括し複合機１００の各部を制御する。制御部１は、演算、制御を行うＣＰＵ１０、印刷に必要な画像処理を画像データに施す画像処理部１１、時計としての（時間、日時、時刻を測るための）時計回路１２を含む。例えば、時計回路１２は、ＩＣ化されたリアルタイムクロックである。記憶部２はＲＯＭ、ＲＡＭ、ＨＤＤのような記憶装置を含み、制御用プログラムやデータを記憶する。
【００１９】
又、制御部１は、原稿搬送部３、画像読取部４と通信可能に接続される。原稿搬送部３は、セットされた原稿を読み取り位置に向けて搬送する。画像読取部４は、原稿搬送部３に搬送される原稿や、原稿台（コンタクトガラス、不図示）にセットされた原稿を読み取り画像データを生成する。制御部１は、原稿搬送部３と画像読取部４の動作を制御する。
【００２０】
制御部１は、操作パネル５と通信可能に接続される。操作パネル５は、表示パネル５１、タッチパネル部５２、ハードキー５３を含む。制御部１は、表示パネル５１の表示を制御する。また、制御部１は、タッチパネル部５２の出力に基づき、表示パネル５１に表示されたソフトキーやボタンのような操作画像のうち、操作された操作画像を認識する。また、制御部１は、操作されたハードキー５３を認識する。また、制御部１は、操作された操作画像やハードキー５３に応じた画面への切替を表示パネル５１に行わせる。また、制御部１は、設定用画面、複合機１００の状態、メッセージのような情報を表示パネル５１に表示させる。制御部１は、操作パネル５でなされた使用者の設定どおりに動作するように複合機１００を制御する。
【００２１】
印刷部６は、エンジン制御部６０、給紙部６ａ、搬送部６ｂ、画像形成部６ｃ、定着部６ｄ、モーター６ｅを含む。モーター６ｅは、印刷部６に含まれる各種回転体を回転させる駆動源であり、１又は複数である。エンジン制御部６０は、エンジンＣＰＵ６１、エンジンメモリー６２を含む。エンジンメモリー６２は、印刷部６の動作制御に用いるデータ、プログラムを記憶する。そして、エンジン制御部６０と制御部１は通信可能に接続される。制御部１は、印刷指示、印刷ジョブの内容、印刷に用いる画像データをエンジン制御部６０に与える。
【００２２】
エンジン制御部６０は、制御部１の指示を受け、給紙部６ａ、搬送部６ｂ、画像形成部６ｃ、定着部６ｄ、モーター６ｅの動作を制御する。そして、エンジン制御部６０は、給紙、用紙搬送、トナー像の形成、転写、定着のような印刷関連処理を実際に制御する。具体的に、エンジン制御部６０は、用紙を一枚ずつ給紙部６ａに供給させる。エンジン制御部６０は、供給された用紙を画像形成部６ｃ、定着部６ｄを経て排出トレイ（不図示）まで搬送部６ｂに搬送させる。エンジン制御部６０は、搬送部６ｂより搬送される用紙にのせるトナー像を画像形成部６ｃに形成させ、トナー像を用紙に転写させる。エンジン制御部６０は、用紙に転写されたトナー像を定着部６ｄに定着させる。搬送部６ｂは、印刷済用紙を排出トレイに排出する。
【００２３】
ここで、印刷部６は、通常印刷と低速印刷の複数の印刷モード（印刷速度）を有する。通常印刷では、制御部１は、通常速度で印刷部６に印刷を行わせる。通常速度は、複合機１００で仕様上印刷可能な速度のうち、最も速い速度とできる。また、低速印刷では、制御部１は、通常速度よりも遅い速度で印刷部６に印刷を行わせる。低速印刷での印刷速度は、適宜定めることができる。例えば、通常印刷での印刷速度を１としたとき、低速印刷での印刷速度を１／２とすることができる。通常印刷よりも遅い印刷速度を複数の用意しておき、操作パネル５で、低速印刷時の印刷速度を選択できるようにしてもよい。制御部１は、通常印刷か低速印刷かの指示をエンジン制御部６０に与える。
【００２４】
通常印刷で印刷する指示を受けたとき、エンジン制御部６０は、モーター６ｅを予め定められた通常印刷時の速度で回転させ、通常の速度で用紙搬送、トナー像形成、転写、定着を行わせる。また、制御部１は、通常印刷時の送信速度で印刷に用いる画像データをエンジン制御部６０に向けて送信する。
【００２５】
低速印刷で印刷する指示を受けたとき、エンジン制御部６０は、予め定められた低速印刷時の速度（例えば、通常印刷時の１／２）でモーター６ｅを回転させ、低速印刷時の速度で用紙搬送、トナー像形成、転写、定着を行わせる。また、制御部１は、低速印刷時の送信速度（例えば、通常印刷時の１／２）で印刷に用いる画像データをエンジン制御部６０に送信する。このように、複合機１００では、制御部１の制御に基づき、通常の印刷速度で印刷部６に印刷させることができるし、低速で印刷部６に印刷させることもできる。
【００２６】
複合機１００には、通信部７が設けられる。図１に示すように、通信部７は、制御部１の一部として設けることができる。通信部７は、ＰＣやサーバーのようなコンピューター２００と通信するためのインターフェイスである。通信部７は、ＰＣのようなコンピューター２００から画像データのような印刷内容を示すデータと印刷に関する設定を示すデータを含む印刷用データを受信する。制御部１は、印刷用データに基づく印刷を印刷部６に行わせる。
【００２７】
また、複合機１００には、複合機１００の設置位置の照度を検知するための（室内照明の明るさを検知するための）照度センサー８が設けられる。照度センサー８は、複合機１００の上面のような室内照明の点消灯を検知できる場所に設けられる。照度センサー８には、フォトダイオードやフォトトランジスタのような受光素子を含み、受光量に応じて出力が異なるセンサーを用いることができる。照度センサー８の出力は、制御部１に入力される。制御部１は、照度センサー８の出力に基づき室内の照明が点いているか消えているかを認識する。制御部１は、照度センサー８の出力値の大きさが予め定められた基準値を超えているか否かにより、室内照明が点灯されているか消灯されているかを判断する。
【００２８】
（複合機１００の電源）
次に、図２を用いて、実施形態に係る複合機１００を構成する部分への電力供給を説明する。図２は、実施形態に係る複合機１００の電源部９の一例を示す図である。図２では、電力の流れを破線で図示している。
【００２９】
複合機１００は、電源部９を含む。電源部９は、電源回路部９１と、トランスを含むスイッチング電源のような一次電源回路９２とを含む。一次電源回路９２は、電源ケーブルにより商用電源９３（交流電源）と接続される。一次電源回路９２は、交流電圧から直流電圧を生成する。一次電源回路９２は、例えば、モーター６ｅ駆動用のＤＣ２４Ｖのような予め定められた電圧を生成し出力する。
【００３０】
複数種の電圧が制御部１、記憶部２、操作パネル５、原稿搬送部３、画像読取部４、印刷部６のような負荷９４の動作に必要である。ＣＰＵ１０、画像処理部１１のようなデバイスでは、動作させるのに複数種の電圧が必要なこともある。そのため、電源回路部９１は、一次電源回路９２の生成電圧に基づき、負荷９４に供給する複数種の直流電圧を生成する二次電源回路９５を含む。二次電源回路９５は、例えば、ＤＣＤＣコンバーターやレギュレーターである。
【００３１】
また、電源回路部９１は、負荷スイッチ９６を含む。負荷スイッチ９６のＯＮ／ＯＦＦを行うことにより、二次電源回路９５が生成した電圧を負荷９４に供給するか否か制御することができる。二次電源回路９５から直接、又は、負荷スイッチ９６を介して電力供給を受ける負荷９４には、制御部１のＣＰＵ１０、画像処理部１１、通信部７、記憶部２のＲＡＭ、ＲＯＭ、ＨＤＤ、表示パネル５１、タッチパネル部５２、ハードキー５３、原稿搬送部３、画像読取部４、エンジン制御部６０のエンジンＣＰＵ６１、エンジンメモリー６２、給紙部６ａ、搬送部６ｂ、画像形成部６ｃ、定着部６ｄが含まれる。
【００３２】
なお、定着部６ｄには、用紙にトナー像を定着させるため、定着用ローラー対６ｆ（定着ローラーに相当）とヒーター６ｇが設けられる。定着用ローラー対６ｆは、トナー像及び用紙と接し、トナーを加熱、加圧して用紙に定着させる。ヒーター６ｇは、定着用ローラー対６ｆを熱する。定着用ローラー対６ｆに対して、温度センサー（不図示）が設けられる。印刷時、制御部１は、温度センサーの出力に基づき、ヒーター６ｇのＯＮ／ＯＦＦを制御し、定着用ローラー対６ｆを定着に適した温度で維持する。
【００３３】
また、二次電源回路９５の動作／停止及び負荷スイッチ９６のＯＮ／ＯＦＦを制御する電源制御部９０が設けられる。主電源スイッチ９７への操作により複合機１００の電源をＯＦＦするとき、電源制御部９０は、予め定められた順番でそれぞれの負荷スイッチ９６をＯＦＦして、予め定められた順番でそれぞれの二次電源回路９５を停止させる。主電源スイッチ９７への操作により複合機１００の電源をＯＮするとき、電源制御部９０は、予め定められた順番でそれぞれの二次電源回路９５の動作を開始させ、予め定められた順番でそれぞれの負荷スイッチ９６をＯＮする。これにより複合機１００が起動する。
【００３４】
（複合機１００を含むネットワーク３００）
次に、図３を用いて、実施形態に係る複合機１００と通信機器５００とのネットワーク３００を介した通信を説明する。図３は、実施形態に係る複合機１００と通信機器５００とのネットワーク３００を介した通信の一例を示す図である。
【００３５】
複合機１００は、社内、官公庁内、フロア内、部署内のようなオフィス（特定のエリア）に構築されたネットワーク３００（ローカルエリアネットワーク３００）に接続することができる。
【００３６】
ネットワーク３００は、ルーター、ハブ（スイッチングハブ）のようなネットワークデバイス４００を含む。ネットワーク３００に直接、又は、ネットワークデバイス４００を介して、ネットワーク通信機能（ネットワーク通信インターフェイス）を有する通信機器５００が接続される。図３では、通信機器５００として、ＰＣ、他の画像形成装置（図３の例では、プリンター）。なお、ＩＰ電話のような電話機を含めても良い。なお、本説明での通信機器５００には、ルーター、スイッチングハブのようなネットワークデバイス４００（ネックワークを構築するためにＴＣＰ／ＩＰプロトコルで定められた装置）は含めないものと扱う。
【００３７】
複合機１００の通信部７は、ネットワーク３００に接続されたＰＣ、プリンターのような通信機器５００と通信できる。また、通信部７は、通信機器５００ごとに、通信機器５００が動作を開始することにより通信可能となった時点である動作開始時点Ｔ１と、通信機器５００が動作を停止することにより通信不可となった時点である動作停止時点Ｔ２を認識する。通信部７は、通信機器５００のＭＡＣアドレスやＩＰアドレスのようなアドレス情報やコンピューター名に基づき、通信機器５００ごとに、動作開始時点Ｔ１と動作停止時点Ｔ２を認識する。また、通信部７は、制御部１に設けられた時計回路１２の日時、時刻を確認し、それぞれの動作開始時点Ｔ１の日時、時刻と、それぞれの動作停止時点Ｔ２の日時、時刻を認識する。
【００３８】
通信機器５００の電源がＯＮされたとき、ネットワークデバイス４００は、電源ＯＮされたからの信号入力の開始されたこと、及び、信号入力を開始した通信機器５００のＭＡＣアドレスのようなアドレス情報やコンピューター名を認識する。また、通信機器５００の電源がＯＦＦされたとき、ネットワークデバイス４００は電源ＯＦＦされた通信機器５００からの信号入力がなくなったこと、及び、アドレス情報やコンピューター名を認識する。そこで、通信部７は、ルーターやスイッチングハブのようなネットワークデバイス４００と通信し、接続されている通信機器５００を示す情報を得ることにより、それぞれの通信機器５００の動作開始時点Ｔ１と動作停止時点Ｔ２を認識してもよい。
【００３９】
また、通信部７は、ネットワーク３００に流れる信号を監視したり、一定周期でネットワーク３００に接続されている通信機器５００の確認を行うための呼びかけを流したりすることにより、各通信機器５００のアドレス情報やコンピューター名と、それぞれの通信機器５００の動作開始時点Ｔ１と動作停止時点Ｔ２を認識してもよい。そして、制御部１は、通信部７が認識した通信機器５００が動作を開始したと認められる日時、時刻（動作開始時点Ｔ１）と、通信機器５００が動作を停止したと認められる日時、時刻（動作停止時点Ｔ２）を、通信機器５００ごとに記憶部２に記憶させる。
【００４０】
（合計時間の計算と時間帯の分類）
次に、図４、図５を用いて、実施形態に係る複合機１００での動作時間の合計の計算と時間帯の分類を説明する。図４、図５は、実施形態に係る複合機１００での動作時間の合計の計算を説明するための図である。
【００４１】
複合機１００の制御部１は、１日を複数の時間帯に分ける。各時間帯の長さは同じとしてもよいし、異ならせてもよい。本実施形態では、制御部１は、１日を１時間単位で２４個の時間帯に分ける。例えば、８時０分０秒から９時０分０秒となるまでの間（８時０分０秒〜８時５９分５９秒）が８時の時間帯とされる。なお、時間帯２４個でなくてもよい。午前と午後、２時間ごと、４時間ごとのように１日における時間帯の個数は適宜定めることができる。１日をどのような時間帯で分けるかは、操作パネル５で設定することができる。制御部１は、操作パネル５で設定された時間帯の分け方に基づき、１日を複数の時間帯に分ける。
【００４２】
制御部１は、記憶部２に記憶された動作開始時点Ｔ１と動作停止時点Ｔ２の日時、時刻に基づき（動作開始時点Ｔ１から動作停止時点Ｔ２までの時間）、予め定められた計算日での、通信機器５００の動作時間の合計である合計時間を時間帯ごとに計算する。
【００４３】
なお、複合機１００の主電源が切られている間、通信部７への電力供給は停止され、ネットワーク３００との通信はなされない。そのため、複合機１００の主電源のＯＮ／ＯＦＦのタイミングにより、通信機器５００の中には、動作開始時点Ｔ１と動作停止時点Ｔ２の何れか一方のみが記憶されるものが出てくる。動作開始時点Ｔ１と動作停止時点Ｔ２の何れか一方のみが記憶されている通信機器５００については、いつからいつまで動作していたか確認できないので、合計時間を求める対象から外される（積算のデータとしては用いない）。
【００４４】
本実施形態では、制御部１は１週間前の同じ曜日の日を予め定められた計算日と扱う。今日が月曜日であれば、計算日は先週の月曜日である。なお、予め定められた計算日は、前日や、１ヶ月前や、１年前のように、１週間前の同じ曜日の日以外の日でもよい。また、予め定められた計算日は、１日ではなく、前日と前々日や、１週間分のように複数の日でもよい。どの日を計算日とするかは、操作パネル５で設定することができる。制御部１は、操作パネル５で設定された計算日を適用して、計算を行う。
【００４５】
そして、制御部１は、計算した合計時間が予め定められた第１閾値Ｔｈ１よりも長い時間帯に対応する当日（今日）の時間帯を第１時間帯に分類し、計算した合計時間が第１閾値Ｔｈ１以下の時間帯に対応する当日の時間帯を第２時間帯に分類する。更に、制御部１は、計算した合計時間が第１閾値Ｔｈ１以下の時間帯であって、第１閾値Ｔｈ１よりも短い第２閾値Ｔｈ２以下の時間帯に対応する当日の時間帯を第３時間帯に分類する。
【００４６】
第１閾値Ｔｈ１、第２閾値Ｔｈ２とすべき値は、ネットワーク３００に接続された通信機器５００の数や複合機１００の設置されたオフィスでの各従業員の労働時間帯により異なる。そのため、操作パネル５で第１閾値Ｔｈ１、第２閾値Ｔｈ２を設定することができる。制御部１は操作パネル５で設定された第１閾値Ｔｈ１、第２閾値Ｔｈ２を適用する。
【００４７】
図４は、ネットワーク３００に接続された各通信機器５００（便宜上、ＰＣ１、ＰＣ２、プリンターの名称を付す）のある日の動作開始時点Ｔ１と動作停止時点Ｔ２の一例を示す。図４では、ＰＣ１の動作開始時点Ｔ１は８時３０分であり、動作停止時点Ｔ２は１８時２０分であることを示している。また、ＰＣ２の動作開始時点Ｔ１は７時３０分であり、動作停止時点Ｔ２は２１時３０分であることを示している。また、プリンターの動作開始時点Ｔ１は７時０５分であり、動作停止時点Ｔ２は２１時０５分であることを示している。制御部１は、記憶部２に記憶された動作開始時点Ｔ１から動作停止時点Ｔ２までの間、対応する通信機器５００が動作していたとみなす。
【００４８】
そして、制御部１は、計算日について、時間帯ごとに、各通信機器５００の動作時間の合計を求める。図４の例で言えば、７時の時間帯ではＰＣ２の動作時間が３０分であり、プリンターの動作時間は、５５分である。そこで、制御部１は、３０分＋５５分＝８５分を合計時間として求める。また、８時の時間帯については、ＰＣ１が３０分、ＰＣ２が１時間、プリンターが１時間なので、制御部１は、３０分＋１時間＋１時間＝１５０分を合計時間として求める。９時から１７時のそれぞれの時間帯では、制御部１は、ＰＣ１、ＰＣ２、プリンターのいずれも１時間の間ずっと動作しているとみなし、１８０分を各時間帯の合計時間として求める。１８時の時間帯については、ＰＣ１が２０分、ＰＣ２が１時間、プリンターが１時間なので、制御部１は、２０分＋１時間＋１時間＝１４０分を合計時間として求める。１９時と２０時の時間帯については、ＰＣ１が０分、ＰＣ２が１時間、プリンターが１時間なので、制御部１は、１時間＋１時間＝１２０分を合計時間として求める。２１の時間帯については、ＰＣ１が０分、ＰＣ２が３０分、プリンターが５分なので、制御部１は、３５分を合計時間として求める。このように、制御部１は、ある日の動作開始時点Ｔ１と動作停止時点Ｔ２に基づき、時間帯ごとに各通信機器５００の動作時間を積算することにより、計算日の各時間帯の合計時間を求める。
【００４９】
図５は、制御部１による計算の結果、ある計算日の合計時間の分布の一例を示す図である。図５の分布図では、８時〜１７時の時間帯で合計時間が多くなっていることを示している。また、図５では、２点鎖線で第１閾値Ｔｈ１の一例を示している。また、図５の例では、第２閾値Ｔｈ２をゼロとしている。なお、第２閾値Ｔｈ２はゼロで無くても良い。制御部１の分類の結果、図５の例では、Ｃの符号付の破線で囲まれる時間帯が第３時間帯である。Ｂの符号付の破線で囲まれる時間帯が第２時間帯である。Ａの符号付の破線で囲まれる時間帯が第１時間帯である。
【００５０】
制御部１は、複合機１００の主電源が投入されたとき、予め定められた計算日の各時間帯の合計時間を計算し、計算結果を第１閾値Ｔｈ１及び第２閾値Ｔｈ２と比較する。そして、比較結果に基づき、今日の各時間帯を第１時間帯、第２時間帯、又は、第３時間帯の何れかに分類する。そして、制御部１は、今日の分類結果を記憶部２に記憶させる。
【００５１】
そして、第１時間帯では、制御部１は、印刷部６に通常印刷を行わせる。また、第２時間帯では、制御部１は、印刷部６に低速印刷を行わせる。また、第３時間帯では、制御部１は、複合機１００の主電源を切る。
【００５２】
（時間帯に応じた印刷速度での印刷）
次に、図６を用いて、実施形態に係る複合機１００での時間帯に応じた印刷速度での印刷を説明する。図６は、実施形態に係る複合機１００での時間帯に応じた印刷速度の決定の流れの一例を示す図である。
【００５３】
図６は、印刷ジョブを開始する時点である。印刷ジョブは、コピージョブの実行指示が操作パネル５になされたときや、ＰＣから送信されたプリンタージョブデータを通信部７が受信したとき、開始される。
【００５４】
まず、制御部１は、記憶部２の記憶と時計回路１２が数える日時、時刻を確認し、現在の時間帯が第１時間帯であるか否かを確認する（ステップ♯１１）。第１時間帯であるとき（ステップ♯１１のＹｅｓ）、制御部１は通常印刷を印刷部６に行わせる（ステップ♯１２→エンド）。第１時間帯であれば、オフィスにいる人が多いと予測でき、各使用者の印刷待ちの時間ができるだけ少なくなるように、通常速度で印刷ジョブを行う。
【００５５】
第１時間帯ではないとき（ステップ♯１１のＮｏ）、現在の時間帯は、第２時間帯（若しくは第３時間帯）であり、オフィスにする人は少ないと予測できる。なお、第３時間帯となり、制御部１が複合機１００の主電源が自動的に切られても、主電源スイッチ９７により複合機１００の主電源をＯＮするなどにより、複合機１００を第３時間帯でも利用することはできる。ステップ♯１１がＮｏのとき、制御部１は、低速印刷での印刷を印刷部６に開始させる（ステップ♯１３）。このとき、制御部１は、低速印刷時の複合機１００の消費電力を下げるため、以下の処理を行う。
【００５６】
まず、制御部１は、電源制御部９０に指示し、表示パネル５１への電力供給を停止させる（ステップ♯１４）。また、制御部１は、通常印刷よりも定着用ローラー対６ｆの温度が低くなるようにヒーター６ｇへの電力供給を調整する（ステップ♯１５）。低速印刷では、通常印刷のときよりもトナー像がのせられた用紙が定着用ローラー対６ｆと接する時間が長いので、定着用ローラー対６ｆの温度をある程度下げても、トナー像を定着させることができる。さらに、制御部１は、電源制御部９０に指示し、プリンタージョブのような原稿を読み取らないジョブでは画像読取部４への電力供給を停止させる（ステップ♯１６）。これらにより、印刷ジョブでの低速印刷の消費電力量を通常印刷のときよりも少なくすることができる（ステップ♯１７→エンド）。
【００５７】
（第３時間帯の開始）
次に、図７を用いて、実施形態に係る複合機１００での第３時間帯の開始時の処理の流れの一例を説明する。図７は、第３時間帯が開始されたときの処理の流れの一例を示すフローチャートである。
【００５８】
第３時間帯は、オフィスに人がいない、又は、極めて少ないと予測される時間帯である。そして、制御部１は、第３時間帯では、複合機１００の主電源を切る。
【００５９】
図７のスタートは、第３時間帯になった時点である。例えば、第２時間帯から第３時間帯に切り替わったとき、制御部１は、第３時間帯の開始時の処理として予め定められた処理を行う。なお、主電源が投入されたときの時刻が第３時間帯に属するとき、主電源投入後、直ぐに複合機１００の主電源が自動的にＯＦＦされることは好ましくない。そこで、第３時間帯で複合機１００の主電源がＯＮされたとき、少なくとも、現在の時間帯中は、複合機１００の主電源を自動的にＯＦＦしないようにしてもよい。
【００６０】
第３時間帯になったとき、制御部１は、第１時間帯又は第２時間帯で開始された印刷ジョブが第３時間帯になっても続いているか否かを確認する(ステップ♯２１)。印刷が未完了であって、用紙が搬送部６ｂに残るような主電源の切り方は好ましくないためである。
【００６１】
印刷ジョブが続いているとき（ステップ♯２１のＹｅｓ）、制御部１は、印刷ジョブを完了するまで、印刷ジョブを印刷部６に実行させる（ステップ♯２２）。つまり、第３時間帯になったとき、制御部１は、印刷ジョブの途中で印刷部６に印刷を停止させず、印刷ジョブが完了してから複合機１００の主電源を切る。このとき、第３時間帯になっても、印刷ジョブの印刷速度は変えない。
【００６２】
そして、印刷ジョブがないときは第３時間帯になった直後、印刷ジョブがあるときは印刷ジョブが完了してから、制御部１は、複合機１００の主電源ＯＦＦを電源部９に行わせる（ステップ♯２３）。そして、本フローは終了する（エンド）。
【００６３】
（第２時間帯の開始）
次に、図８を用いて、実施形態に係る複合機１００での第２時間帯の開始時の処理の流れの一例を説明する。図８は、第２時間帯が開始されたときの処理の流れの一例を示すフローチャートである。
【００６４】
図８のスタートは、第２時間帯になった時点である。第１時間帯が第２時間帯に切り替わったときや主電源が投入されたときの時刻が第２時間帯に属するとき、制御部１は、第２時間帯の開始時の処理として予め定められた処理を行う。
【００６５】
第２時間帯が開始されたとき、制御部１は、第１時間帯で開始された印刷ジョブが第２時間帯になっても続いているか否かを確認する（ステップ♯３１）。前の時間帯で開始された印刷ジョブが第２時間帯となった時点で続いているとき（ステップ♯３１のＹｅｓ）、制御部１は、印刷速度を維持したまま印刷ジョブを印刷部６に継続させる（ステップ♯３２）。具体的に、第１時間帯では通常印刷が、第２時間帯では、低速印刷が行われる。そして、第１時間帯で開始された通常印刷が第２時間帯になっても続いているとき（ステップ♯３１のＹｅｓ）、制御部１は、印刷ジョブの途中から低速印刷を行わず、印刷ジョブの印刷速度を維持させる（ステップ♯３２）。これにより、印刷物の画質が印刷速度の変化によって乱れることを防ぐ。
【００６６】
次に、制御部１は、予め定められた自動電源切断条件が満たされているか否かを確認する（ステップ♯３３）。第２時間帯では、オフィスに人が少ないと予測される時間である。第２時間帯では、全員がオフィスから退出している場合がある。このような場合、複合機１００の電源をＯＮしていても無駄である。そこで、第２時間帯中、オフィスに誰もいない可能性が高く、複合機１００の電源を切っても問題は無いと認められる条件（自動電源切断条件）を満たした時点で、複合機１００の主電源を自動的に切る。
【００６７】
具体的に、本実施形態の複合機１００では、照度センサー８の出力に基づき、室内の照明が消されていると制御部１が認識していること（照明が点いていないと認識できていること）が自動電源切断条件とされる。室内の照明が消されていれば、オフィスに誰もいない可能性が高く、複合機１００の電源を切っても問題は無いためである。
【００６８】
なお、直前の印刷ジョブが完了してから、印刷しないまま第２時間帯中に予め定められた待機時間が経過したことを自動電源切断条件としてもよい。直前の印刷ジョブが完了してから印刷がなされない時間が長ければ、いほど、複合機１００の主電源を切っても問題がない可能性が高いためである。予め定められた待機時間は、１時間、数十分のように操作パネル５で設定することができる。
【００６９】
また、通信部７が、動作している通信機器５００がネットワーク３００上に無いと認識していることを自動電源切断条件としてもよい。この場合、通信部７は、例えば、ネットワーク３００に流れる信号を監視したり、一定周期でネットワーク３００に接続されている通信機器５００の確認を行うための呼びかけを流したりすることにより、動作している通信機器５００を認識する。
【００７０】
どのような条件を自動電源切断条件とするか、及び、自動電源切断条件を１つとするか、複数とするかは、操作パネル５で設定することができる。制御部１は、操作パネル５の設定に従い、複合機１００の主電源ＯＦＦを電源部９に行わせる。例えば、室内の照明が消されていること、及び、ネットワーク３００上で動作している通信機器５００がないことの両方を自動電源切断条件とした場合、制御部１は、第２時間帯中、室内の照明が消され、かつ、ネットワーク３００上で動作している通信機器５００がない状態となったとき、複合機１００の主電源を電源部９にＯＦＦさせる。
【００７１】
制御部１は、全ての自動電源切断条件が満たされるまで確認を続ける（ステップ♯３３のＮｏ→ステップ♯３３）。全ての自動電源切断条件が満たされたとき（ステップ♯３３のＹｅｓ）、制御部１は、複合機１００の主電源ＯＦＦを電源部９に行わせる（ステップ♯３４）。そして、本フローは終了する（エンド）。
【００７２】
（第１時間帯の開始）
次に、図９を用いて、実施形態に係る複合機１００での第１時間帯の開始時の処理の流れの一例を説明する。図９は、第１時間帯が開始されたときの処理の流れの一例を示すフローチャートである。
【００７３】
図９のスタートは、第１時間帯になった時点である。例えば、第２時間帯が第１時間帯に切り替わったときや主電源が投入されたときの時刻が第１時間帯に属するとき、制御部１は、第１時間帯の開始時の処理として予め定められた処理を行う。
【００７４】
第１時間帯になったとき、制御部１は、第２時間帯で開始された印刷ジョブが第１時間帯になっても続いているか否かを確認する（ステップ♯４１）。第２時間帯では、低速印刷が行われる。そして、第２時間帯で開始された印刷ジョブが第１時間帯になっても続いているとき（ステップ♯４１のＹｅｓ）、制御部１は、印刷ジョブの途中から通常印刷を行わず、印刷ジョブの印刷速度を維持させ、低速印刷を印刷部６に行わせる（ステップ♯４２）。これにより、低速印刷から印刷速度を変化させることによって、印刷物の画質が乱れることを防ぐ。ステップ♯４２の後、及び、第２時間帯で開始された印刷ジョブが第１時間帯でも続いていないとき（ステップ♯４１のＮｏ）のとき、本フローは終了する（エンド）。
【００７５】
このようにして、実施形態に係る画像形成装置（複合機１００）は、印刷部６、時計回路１２、通信部７、記憶部２、制御部１を含む。印刷部６は、通常速度で印刷を行う通常印刷、又は、通常速度よりも遅い印刷速度で印刷を行う低速印刷のいずれかで印刷を行う。時計回路１２は、時間を測る。通信部７は、ネットワーク３００に接続され、ネットワーク３００に接続された通信機器５００ごとに通信機器５００が動作を開始することにより通信可能となった時点である動作開始時点Ｔ１と、通信機器５００が動作を停止することにより通信不可となった時点である動作停止時点Ｔ２を認識する。記憶部２は、動作開始時点Ｔ１と動作停止時点Ｔ２を記憶する。制御部１は、１日を複数の時間帯に分け、記憶部２に記憶された動作開始時点Ｔ１から動作停止時点Ｔ２までの時間に基づき、予め定められた計算日での、各通信機器５００の動作時間の合計である合計時間を時間帯ごとに計算する。そして、制御部１は、計算した合計時間が予め定められた第１閾値Ｔｈ１よりも長い時間帯に対応する当日の時間帯を第１時間帯に分類し、計算した合計時間が第１閾値Ｔｈ１以下の時間帯に対応する当日の時間帯を第２時間帯に分類し、第１時間帯では印刷部６に通常印刷を行わせ、第２時間帯では低速印刷を行わせる。
【００７６】
これにより、画像形成装置に通信可能に接続された各通信機器５００の過去の動作状況に基づき、オフィスに人が多い時間帯か、少ない時間帯かを予測し、予測に沿って当日の各時間帯を分類することができる。ここで、以前の各通信機器５００の動作状況（動作データ）に基づき、正確に時間帯の分類を行うことができる。そして、人が多いと予測される時間帯は、第１時間帯に分類されるので、画像形成装置を通常どおり高速で印刷させることができる。これにより、印刷物を得るまでの各使用者の待ち時間を少なくすることができる。
【００７７】
各通信機器５００の動作時間の合計が第１閾値Ｔｈ１よりも短く、人が少ないと予測される時間帯を第２時間帯と分類することができる。第２時間帯では、画像形成装置を通常よりも遅い速度で印刷させることができる。これにより、人が少なく静かな状況で、画像形成装置の動作音を通常印刷時よりも抑えることができる。従って、使用者がうるさいと感じにくくし、画像形成装置の静音性を高めることができる。また、第２時間帯での画像形成装置の消費電力を抑えることができる。
【００７８】
また、画像形成装置の設置位置の照度を検知するための照度センサー８を含む。制御部１は、照度センサー８の出力に基づき室内の照明が点いているか又は消されているかを認識し、第２時間帯で室内の照明が消されているとき、画像形成装置の主電源を切る。これにより、室内の照明が消され、誰もいないと認められる状態となったとき、画像形成装置の主電源を切り、無駄な電力が消費されることを防ぐことができる。
【００７９】
印刷ジョブの途中で印刷速度を変更すると、形成される画像が乱れることがある。そこで、第１時間帯で開始された印刷ジョブが第２時間帯になっても続いているとき、及び、第２時間帯で開始された印刷ジョブが第１時間帯になっても続いているとき、制御部１は、印刷ジョブの印刷速度を維持させる。これにより、印刷ジョブの途中で印刷速度が変更されることを防ぐことができる。その結果、画像に乱れがない印刷物を出力させることができる。
【００８０】
人がいない、若しくは、極めて少ないと予測され、画像形成装置が利用される可能性が少ないと予測される第３時間帯では、画像形成装置は使用されないまま放置される可能性が高い。そこで、制御部１は、計算した合計時間が第１閾値Ｔｈ１以下の時間帯であって、第１閾値Ｔｈ１よりも短い第２閾値Ｔｈ２以下の時間帯に対応する当日の時間帯を第３時間帯に分類し、第３時間帯になると画像形成装置の主電源を切る。これにより、第３時間帯に入ると、画像形成装置の主電源を自動的に切ることができる。これにより、画像形成装置で無駄な電力の消費を無くすことができる。
【００８１】
また、第１時間帯又は第２時間帯で開始された印刷ジョブが第３時間帯になっても続いているとき、制御部１は、印刷ジョブの途中で印刷部６に印刷を停止させず、印刷ジョブが完了してから画像形成装置の主電源を切る。これにより、第３時間帯になった当初、印刷ジョブが続けられている間は、印刷部６への電力供給を続けさせることができる。従って、印刷ジョブを最後まで行わせることができる。
【００８２】
たま、予め定められた計算日は１週間前の同じ曜日の日としてもよい。これにより、先週の同じ曜日の各通信機器５００の動作状況に基づき、本日の各時間帯の分類が行われる。従って、１週間中の営業日や休業日、営業日の就業時間、曜日ごとの早出や残業の傾向にあわせて本日の各時間帯の分類を行うことができる。
【００８３】
また、画像形成装置は、原稿を読み取って画像データを生成する画像読取部４、設定画面を表示する表示パネル５１を含む操作パネル５、を含む。印刷部６は、画像データに基づきトナー像を生成して用紙に転写する画像形成部６ｃと、用紙に転写されたトナー像を定着させるための定着ローラーと定着ローラーを加熱するヒーター６ｇを含む定着部６ｄを備える。低速印刷のとき、制御部１は、表示パネル５１への電力供給を停止させ、通常印刷よりも定着ローラーの温度が低くなるようにヒーター６ｇへの電力供給を調整し、原稿を読み取らないジョブでは画像読取部４への電力供給を停止させる。これにより、低速印刷時の画像形成装置の消費電力を、通常印刷のときよりもずっと小さくすることができる。従って、通常印刷時よりも無駄な電力消費を減らし、効果的に電力を使って低速印刷を行うことができる。従って、通常印刷時よりも低速印刷時の消費電力量を大きく減らすことができる。そして、省エネルギー効果の高い画像形成装置を提供することができる。
【００８４】
本発明の範囲は実施形態の説明に限定されるものではなく、発明の主旨を逸脱しない範囲で種々の変更を加えて実施することができる。
【産業上の利用可能性】
【００８５】
本発明は、ネットワークに接続される画像形成装置に利用可能である。
【符号の説明】
【００８６】
１００  複合機（画像形成装置）            １      制御部
１２    時計回路                          ２      記憶部
４      画像読取部                        ５      操作パネル
５１    表示パネル                        ６      印刷部
６ｃ    画像形成部                        ６ｄ    定着部
６ｆ    定着用ローラー対（定着ローラー）  ６ｇ    ヒーター
７      通信部                            ８      照度センサー
３００  ネットワーク                      ５００  通信機器
Ｔ１    動作開始時点                      Ｔ２    動作停止時点
Ｔｈ１  第１閾値                          Ｔｈ２  第２閾値
【図１】
0006468231.tif 000002
【図２】
0006468231.tif 000003
【図３】
0006468231.tif 000004
【図４】
0006468231.tif 000005
【図５】
0006468231.tif 000006
【図６】
0006468231.tif 000007
【図７】
0006468231.tif 000008
【図８】
0006468231.tif 000009
【図９】
0006468231.tif 000010